(57)【特許請求の範囲】
【請求項１】
ガイド溝を有するアウタケースと、該ガイド溝にスライド自在に係合し、コネクタの前端の端子挿入孔に係合する突部を先端側に有する位置決め部材と、該位置決め部材を突出方向に付勢する弾性体と、該アウタケースに固定され、該コネクタ内の可撓性の係止ランスに対する係止解除ピンを先端側に有する解除プレートとを具備することを特徴とする端子抜き治具。
【請求項２】
前記位置決め部材の自由状態で、前記係止解除ピンの先端が前記位置決め部材の突部よりも後方に位置することを特徴とする請求項１記載の端子抜き治具。
【請求項３】
前記係止解除ピンが前記位置決め部材の外壁面に接して位置することを特徴とする請求項１又は２記載の端子抜き治具。
【請求項４】
前記位置決め部材の突部を前記端子挿入孔に係合させた状態で、前記係止ランスに対向した前記コネクタの抜き治具挿入孔に前記係止解除ピンの先端が対向して位置することを特徴とする請求項１〜３の何れかに記載の端子抜き治具。
【請求項５】
前記位置決め部材の外壁面に突条が設けられ、前記解除プレートに、該突条をスライド自在に係合させるスリット状のガイド孔が設けられたことを特徴とする請求項１〜４の何れかに記載の端子抜き治具。
【請求項６】
前記ガイド孔の内側面が前記係止解除ピンの基部に続いていることを特徴とする請求項５記載の端子抜き治具。
【請求項７】
前記位置決め部材にストッパとしての突起が設けられ、前記解除プレートに、該突起をスライド自在に係合させる長孔状のガイド孔が設けられたことを特徴とする請求項１〜６の何れかに記載の端子抜き治具。
【発明の詳細な説明】
【０００１】
【発明の属する技術分野】
本発明は、コネクタハウジング内の係止ランスを撓ませて端子の係止を解除する端子抜き治具に関するものである。
【０００２】
【従来の技術】
図８は、実開昭６２−１８８０８０号公報に記載された従来の端子抜き治具を示すものである。
この端子抜き治具５１は概ね鉛筆程度の大きさのものであり、棒状の握り部５２と、握り部５２の先端に突設された係止解除ピン５３と、握り部５２の先端から進退可能に突出し、係止解除ピン５３よりも短く位置する端子押圧ピン５４と、端子押圧ピン５４を突出方向に付勢するコイルばね５５とで概ね構成されている。
【０００３】
図９（ａ）  〜（ｃ）  は、上記端子抜き治具５１を用いてコネクタ５６内の端子５７の係止を解除する方法を順に示すものである。
図９（ａ）  の如く、合成樹脂製のコネクタハウジング５８の後半の端子収容室５９に端子５７が収容され、端子５７の電気接触部であるタブ部６０が前半のコネクタ嵌合室６１に突出した状態で、端子５７の中間部から突出した弾性係止片６２が、コネクタ嵌合室６１から軸方向に続く空間６３の終端の段部６４に当接することで、端子５７の抜け出しが防止されている。
【０００４】
このコネクタハウジング５８はコネクタ嵌合室６１を有する雌型のものであり、端子５７はタブ部６０を有する雄型のものである。端子５７の後部の圧着部６５に電線６６が圧着接続されている。雌型のコネクタハウジング５８と雄型の端子５７とで雌型のコネクタ５６が構成されている。コネクタ嵌合室６１には図示しない雄型のコネクタが挿入嵌合され、雄型のコネクタ内の雌型の端子の電気接触部内に雄型の端子５７のタブ部６０が挿入接続される。本明細書ではコネクタ嵌合室６１を有するコネクタ５６を雌型のコネクタと定義し、コネクタ嵌合室６１に対する嵌合前端を有するコネクタを（図示せず）雄型のコネクタと定義する。
【０００５】
図９（ａ）  において、コネクタハウジング５８のコネクタ嵌合室６１内に端子抜き治具５１の先端側を挿入し、タブ部６０の先端に端子押圧ピン５４を突き当てた状態で、図９（ｂ）  〜（ｃ）  の如く端子抜き治具５１を前進させて、端子５７の弾性係止片６４の位置する空間６３内に係止解除ピン５３を進入させ、係止解除ピン５３の先端で弾性係止片６２を解除方向に撓ませて、端子５７の係止を解除させる。
【０００６】
図９（ｂ）  の係止解除前の段階では端子押圧ピン５４はコイルばね５５（図８）を圧縮しつつ後退する。図９（ｃ）  の如く弾性係止片６２が撓んだ状態で段部６４を乗り越えつつ、端子５７が端子押圧ピン５４に押されて後退する。最後に電線６６を引っ張ることで、端子５７が端子収容室５９から抜き出される。端子５７の抜き出し作業は、コネクタ５６内の端子５７の導通が悪くなった場合や、端子５７が傷んだ場合、あるいは異種端子を誤挿入した場合等に行われる。
【０００７】
【発明が解決しようとする課題】
しかしながら、上記従来の端子抜き治具５１においては、端子５７を係止させる弾性係止片６２に対して係止解除ピン５３をスムーズに位置合わせすることが難しく、端子５７の係止解除作業に熟練を要するという問題があった。端子抜き治具の扱いに不慣れであると、係止解除ピン５３をコネクタハウジング５８の他の部位に誤挿入したりして、係止解除ピン５３で端子５７をつついて変形させたり、コネクタハウジング５８を傷付けたりする心配があった。また、係止解除ピン５３が細く、先端が比較的鋭利であるために、係止解除ピン５３の先端で作業者が怪我をするという心配もあった。さらに、上記端子抜き治具５１は雌コネクタ５６専用のものであり、雄コネクタ（図示せず）には適用できなかった。従って雄コネクタに適用できて、しかも誰でも簡単に端子の係止解除を行うことのできる端子抜き治具が切望されていた。
【０００８】
本発明は、上記した点に鑑み、特に雄型のコネクタに適用でき、コネクタハウジング内の端子の係止を解除する際の位置合わせが容易で、誰でも簡単・確実に且つ安全に端子の係止を解除することのできる端子抜き治具を提供することを目的とする。
【０００９】
【課題を解決するための手段】
上記目的を達成するために、本発明は、ガイド溝を有するアウタケースと、該ガイド溝にスライド自在に係合し、コネクタの前端の端子挿入孔に係合する突部を先端側に有する位置決め部材と、該位置決め部材を突出方向に付勢する弾性体と、該アウタケースに固定され、該コネクタ内の可撓性の係止ランスに対する係止解除ピンを先端側に有する解除プレートとを具備する端子抜き治具を基本とする（請求項１）。
前記位置決め部材の自由状態で、前記係止解除ピンの先端が前記位置決め部材の突部よりも後方に位置することも有効である（請求項２）。
また、前記係止解除ピンが前記位置決め部材の外壁面に接して位置することも有効である（請求項３）。
前記位置決め部材の突部を前記端子挿入孔に係合させた状態で、前記係止ランスに対向した前記コネクタの抜き治具挿入孔に前記係止解除ピンの先端が対向して位置する（請求項４）。
また、前記位置決め部材の外壁面に突条が設けられ、前記解除プレートに、該突条をスライド自在に係合させるスリット状のガイド孔が設けられたことも有効である（請求項５）。
また、前記ガイド孔の内側面が前記係止解除ピンの基部に続いていることも有効である（請求項６）。
また、前記位置決め部材にストッパとしての突起が設けられ、前記解除プレートに、該突起をスライド自在に係合させる長孔状のガイド孔が設けられたことも有効である（請求項７）。
【００１０】
以下に、上記構成に基づく作用を説明する。
請求項１記載の発明においては、位置決め部材がアウタケースのガイド溝にスライド自在に係合し、且つ弾性体で付勢されて突部側がアウタケースから突出する。位置決め部材の突部をコネクタの端子挿入孔に係合させることで、係止ランスに対する係止解除ピンの位置が規定される。この状態でアウタケースを前進させることで、係止解除ピンが一体的に前進して係止ランスを撓ませて端子の係止を解除する。この際、位置決め部材は弾性体の付勢に抗して後退しつつ常に端子挿入孔に突部を係合させている。
請求項２記載の発明においては、位置決め部材の突部を端子挿入孔に押し当てない状態で、係止解除ピンの先端が位置決め部材に沿って位置し、外部には突出しない。
請求項３記載の発明においては、位置決め部材の突部を端子挿入孔に押し当てた際に、係止解除ピンが位置決め部材の外壁面に摺接し、外壁面に対して位置決めされる。
請求項４記載の発明においては、位置決め部材の突部を端子挿入孔に係合させると同時に、抜き治具挿入孔に対する係止解除ピンの位置決めが行われる。
請求項５記載の発明においては、突条がガイド孔に係合することで、位置決め部材に対する解除プレートすなわち係止解除ピンの位置決めが行われる。位置決め部材の突部を端子挿入孔に押し付けた際に、突条はガイド孔に沿って後退し、係止解除ピンが相対的に前進する。
請求項６記載の発明においては、突条が係止解除ピンの基部に接して位置するから、突条すなわち位置決め部材と係止解除ピンの位置が正確に規定される。
請求項７記載の発明においては、位置決め部材が弾性体に付勢されて突出した際に、突起がガイド孔の前端に当接して、位置決め部材の前進端位置が規定される。位置決め部材の後退端位置も同様に規定可能である。
【００１１】
【発明の実施の形態】
以下に本発明の実施の形態の具体例を図面を用いて詳細に説明する。
図１〜図２は、本発明に係る端子抜き治具の一実施形態を示すものである。
【００１２】
図１の如く、この端子抜き治具１は、ねじ締め用のドライバの形状に似た握り部２と、握り部２の先端から突出した断面略凹字状のアウタケース３と、アウタケース３内に進退方向スライド自在に装着された位置決め部材４と、位置決め部材４を突出方向に付勢するコイルばね（弾性体）５と、アウタケース３に固定され、係止解除ピン６を先端側に有する解除プレート７とで構成されている。
【００１３】
解除プレート７はアウタケース３に小ボルト８で固定されている。位置決め部材４はコイルばね５に付勢されて前半部がアウタケース３の先端から前方へ突出している。その状態で係止解除ピン６の先端は位置決め部材４の先端面９よりもやや後方に位置している。位置決め部材４の先端面９には突部１０が設けられている。アウタケース３は握り部２とは別体に形成され、握り部２内に差し込み固定されている。握り部２とアウタケース３と位置決め部材４とは金属あるいは合成樹脂で形成され、解除プレート７は金属で形成されることが好ましい。
【００１４】
図２の如く、アウタケース３は長手方向の断面矩形状のガイド溝１１を有すると共に、先端両側に一対の鍔部１２を有し、各鍔部１２には解除プレート７を固定するための雌ねじ孔１３が形成されている。ガイド溝１１はアウタケース３の先端側と上側とに開口１１ａ，１１ｂを有し、雌ねじ孔１３は上側の開口１１ｂと同一平面上に開口１３ａを有している。なお、本明細書における上下の定義は説明の便宜上のものであり、端子抜き治具１（図１）の使用時の方向とは必ずしも一致するものではない。
【００１５】
位置決め部材４は矩形柱状に形成され、部材本体１４の先端に、図３の雄型のコネクタハウジング１５の嵌合前端側の端子挿入孔１６に対する係合用の突部１０が一体に形成されている。端子挿入孔１６は矩形状に形成され、奥側のストレート部１６ａと入口側のテーパ部１６ｂとで構成されている。図２の突部１０は、ストレート部１６ａ（図３）に対する略立方体状の前半部１０ａと、テーパ部１６ｂ（図３）に対する略四角錐状の後半部１０ｂとで構成され、後半部１０ｂが部材本体１４の先端面９に一体に続いている。
【００１６】
突部１０は部材本体１４の上端面１８寄りに配置されている。上端面（外壁面）１８は先端面９と直交して続いている。上端面１８には先端面９から長手方向中間部にかけてガイド用の突条１９が一体に形成されると共に、上端面１８の後端寄りにおいてストッパとしての短円柱状の突起２０が形成されている。突条１９は上端面１８の一側寄りに配置され、突起２０は上端面１８の中央に配置されている。突部１０は突条１９の近傍に位置しており、それにより図１で係止解除ピン６と突部１０との位置精度が高まっている。部材本体１４はアウタケース３のガイド溝１１にガタ付きなく長手方向スライド自在に係合し得る幅寸法に形成され、且つガイド溝１１の深さよりも若干短い高さに形成されている。
【００１７】
解除プレート７は略長方形状のプレート本体２１と、プレート本体２１の先端から前方に突出した前記係止解除ピン６とで構成されている。プレート本体２１の先端両側には、前記アウタケース３の鍔部１２と同一面積の一対の鍔部２２が形成され、各鍔部２２に前記雌ねじ孔１３に対応してボルト挿通孔２３が設けられている。
【００１８】
また、プレート本体２１の前端から長手方向中間部にかけて、位置決め部材４の突条１９に対するスリット状のガイド孔２４が形成され、ガイド孔２４の後方において、位置決め部材４の突起２０に対する長孔状のガイド孔２５が形成されている。前側のガイド孔２４はプレート本体２１の一側寄りに位置し、後側のガイド孔２５はプレート本体２１の幅方向中央に位置している。
【００１９】
前側のガイド孔２４は突条１９よりも若干幅広に形成され、ガイド孔２４内に突条１９をスライド自在に係合させ、且つガイド孔２４の後端に突条１９の後端を当接可能である。また、後側のガイド孔２５は位置決め部材４の突起２０よりも若干幅広に形成され、突起２０をスライド自在に係合させ、且つ円弧状の前端２５ａ及び後端に突起２０を当接可能である。解除プレート７の板厚は突条１９の突出高さに等しく、突起２０の軸方向長さは解除プレート２１の板厚よりも長い。
【００２０】
前側のガイド孔２４は両側に平行な内側面２４ａ，２４ｂを有し、一方の内側面２４ａはプレート本体２１の前端２１ａに直交して続き、他方の内側面２４ｂは前方にやや長く延長されて、係止解除ピン６の基部２６の内側面２６ａに続くと共に、段部２７を介して係止解除ピン６の一方の外側面６ａに続いている。係止解除ピン６はプレート本体２１の軸心からやや他側側にオフセットされた状態でプレート本体２１の前端から真直に延長形成されている。係止解除ピン６は縦断面矩形状に形成され、係止解除ピン６の先端にはテーパ状の傾斜面２８が上向きに形成されている。
【００２１】
図１の端子抜き治具１の組立状態で、位置決め部材４の突条１９の後部側が解除プレート７の前側のガイド孔２４の前部側に係合し、係止解除ピン６に沿って突条１９が位置決めされている。係止解除ピン６は突条１９と平行に位置している。突条１９の一側面１９ａ（図２）が係止解除ピン６の基部２６（図２）の側面２６ａに接し、部材本体１４（図２）の上端面１８が係止解除ピン６の下端面に接することで、位置決め部材４が係止解除ピン６に対して上下左右の二次元方向に正確に位置決めされる。係止解除ピン６の基部以外の部分の側面６ａ（図２）と突条１９の側面１９ａとの間には若干の隙間２９（図１）が設けられ、この隙間２９によって突条１９の摺動抵抗の軽減と係止解除ピン６の磨耗の防止が図られている。
【００２２】
図１において、係止解除ピン６の先端は位置決め部材４の先端面９よりも若干後方に引っ込んで位置しており、それにより、鋭利な係止解除ピン６の先端による作業者の怪我やコネクタハウジング１５（図３）の傷付け等が防止されている。しかも係止解除ピン６が突条１９にほぼ接し、且つ突条１９と同一面に位置しているから、係止解除ピン６が突条１９によって保護され、外部との干渉による係止解除ピン６の変形等が防止されている。
【００２３】
係止解除ピン６の先端が位置決め部材４の先端面９よりもやや後方に位置した状態で、位置決め部材４の後方の突起２０が後側のガイド孔２５の前端に当接して、位置決め部材４の前進端位置が規定されている。位置決め部材４がコイルばね５の付勢に抗して後退した際に、突条１９の後端は前側のガイド孔２４の後端に当接し、突起２０は後側のガイド孔２５の後端に当接する。位置決め部材４が後退することで、係止解除ピン６が位置決め部材４の先端よりも突出した状態となる。
【００２４】
図３は合成樹脂製の雄型のコネクタハウジング１５を示すものであり、コネクタハウジング１５の前端側には別部材の合成樹脂製のフロントホルダ３０が挿着され、フロントホルダ３０に、相手側の雌型のコネクタ（図示せず）の雄端子に対する複数の端子挿入孔１６が整列して設けられると共に、各端子挿入孔１６の下側に隣接して抜き治具挿入孔１７が設けられている。抜き治具挿入孔１７は端子挿入孔１６に対して片側に偏心して位置している。コネクタハウジング１５の上壁３１には相手側の雌型のコネクタハウジング（図示せず）に対するロックアーム３２が設けられている。
【００２５】
図４に示す如く、各端子挿入孔１６は端子収容室３３に続き、端子収容室３３には後部開口３３ａから雌型の端子３４が挿入され、コネクタハウジング１５内の可撓性の係止ランス３５で一次係止される。係止ランス３５は端子収容室３３に臨んでいる。ハウジング前端の抜き治具挿入孔１７は係止ランス３５の先端に対向して位置している。
【００２６】
端子３４は矩形筒状の電気接触部３６の前端側の下側の突部（段部）３７を係止ランス３５の先端で当接係止されている。コネクタハウジング１５には長手方向中間部において端子二次係止用のスペーサ３８が下壁３９の開口から挿入されて仮係止されている。スペーサ３８の仮係止状態で端子３４が端子収容室３３に挿入される。端子３４の挿入時に係止ランス３５は下向きに撓み、端子３４の完全挿入時に係止ランス３５が復元して前記突部３７を係止する。次いでスぺーサ３８を上向きに押し込んで、スペーサ３８の前端の係止段部４０で端子３４の電気接触部３６の後端を二次係止する。コネクタハウジング１５とフロントホルダ３０と端子３４とスペーサ３８とで雄型のコネクタ４１が構成されている。端子３４の抜き出し操作はスペーサ３８の仮係止状態で行う。
【００２７】
図４の如く雄型のコネクタ４１に対して図１の端子抜き治具１を上下反転させて使用する。端子挿入孔１６の入口に対向して位置決め部材４の突部１０を位置させることで、解除プレート７の係止解除ピン６の先端が抜き治具挿入孔１７の入口に対向して位置する。突部１０と係止解除ピン６との間の垂直及び水平方向の距離（ピッチ）は、端子挿入孔１６と抜き治具挿入孔１７との間の垂直及び水平方向の距離（ピッチ）に等しい。
【００２８】
端子抜き治具１の握り部２内にアウタケース３の基部３ａ側が差し込まれて固定され、アウタケース３のガイド溝１１の終端１１ｃと位置決め部材４の後端との間にコイルばね５が弾設されている。他の構成は図１と同様である。
【００２９】
以下に図５〜図７を用いて端子抜き治具１の使用方法を説明する。
先ず、図５の如く、位置決め部材４の先端の突部１０をコネクタ４１の前端の端子挿入孔１６に係合させる。突部１０の立方形状の前半部１０ａが端子挿入孔１６の奥側のストレート部１６ａに進入し、突部１０の角錐形状の後半部１０ｂが端子挿入孔１６の入口側のテーパ部１６ｂに進入することで、位置決め部材４の周方向への回動が阻止されると共に、軸方向への移動が阻止されて、位置決め部材４が上下左右前後の三次元方向に位置決めされ、それにより抜き治具挿入孔１７に対する係止解除ピン６の位置が正確に規定される。
【００３０】
位置決め部材４の先端面９はフロントホルダ３０の前端面に当接する。係止解除ピン６の先端はフロントホルダ３０の前端面からやや離間して後方に位置する。係止解除ピン６の先端の傾斜面２８は係止ランス３５の先端の傾斜面３５ａとほぼ同一の角度で同一方向に傾斜しており、両傾斜面２８，３５ａは平行に対向して位置している。
【００３１】
図５で係止ランス３５はその垂直な先端面３５ｂで端子３４の電気接触部３６の前端側の突部３７の後端に当接して端子３４を係止させ、先端面３５ｂの後方の傾斜面３５ａを抜き治具挿入孔１７の出口側に対向させている。係止ランス３５の下側には撓み空間４２が設けられている。
【００３２】
図５の状態から端子抜き治具１（図４）の握り部２を前方に押すことで、図６の如く、係止解除ピン６が前進して抜き治具挿入孔１７を通過し、係止ランス３５の先端の傾斜面３５ａに係止解除ピン６の先端の傾斜面２８が当接する。握り部２（図４）を前方に押すに伴って、位置決め部材４は先端の突部１０を端子挿入孔１６に係合させた状態で、アウタケース３のガイド溝１１（図４）に沿って後方にスライドして、ガイド溝１１内に大半部が収容される。ガイド溝１１内のコイルばね５（図４）は位置決め部材４に押されて圧縮される。突部１０はコイルばね５の付勢力で端子挿入孔１６に位置ずれなくしっかりと係合している。
【００３３】
図６の状態からさらに握り部２（図４）を前方に押すことで、係止解除ピン６の先端の傾斜面２８が係止ランス３５の傾斜面３５ａに摺接して係止ランス３５を下方に撓ませる。これにより、係止ランス３５の先端面３５ｂと端子３４の突部３７との係止が解除される。この状態から電線４３（図４）を後方に引っ張ることで、端子３４が容易に抜き出される。
【００３４】
端子３４を抜き出しつつ、端子抜き治具１を後方に引っ張って、係止解除ピン６を抜き治具挿入孔１７から抜き出す。この際、コイルばね５（図４）が圧縮されているから、コイルばね５の伸び方向の復元力で握り部２（図４）の後退操作すなわち係止解除ピン６の抜き出し操作が小さな力で容易に行われる。
【００３５】
なお、上記実施形態において、端子挿入孔１６と抜き治具挿入孔１７との間のピッチが短い場合には、位置決め部材４を細径化し、位置決め部材４の先端部を係合用の突部１０で構成させ、部材本体１４（図２）の前端面９をなくすことも可能である。また、コイルばね５（図４）に代えて図示しない波型のばねやゴムやスポンジ等の弾性体を用いることも可能である。また、フロントホルダ３０（図３）を用いずにコネクタハウジング１５と一体の前端壁に端子挿入孔１６や抜き治具挿入孔１７を設けることも可能である。
【００３６】
【発明の効果】
以上の如く、請求項１記載の発明によれば、位置決め部材の先端側の突部をコネクタの端子挿入孔に係合させることで、係止ランスに対する係止解除ピンの位置が正確に規定されるから、この状態でアウタケースを前進させることで、係止解除ピンが一体的に前進して係止ランスを撓ませて端子の係止を確実に解除させる。この際、位置決め部材は後退しつつも常に端子挿入孔に突部を係合させているから、係止解除ピンに位置が常に正確に規定される。それにより、誰でも簡単且つ確実に端子の係止を解除することができる。特に、端子挿入孔を有する雄型のコネクタに対応して、簡単且つ確実に端子の係止を解除することができる。また、係止解除ピンを端子挿入孔に誤挿入するといったミスが起こらないから、係止解除ピンの先端でコネクタ内の端子を傷つけたり変形させたりするといった不具合が防止される。
【００３７】
また、請求項２記載の発明によれば、位置決め部材を後方に押圧しない状態で、係止解除ピンの先端が位置決め部材に沿って位置し、外部には突出しないから、係止解除ピンの鋭い先端で作業者が怪我をしたり、コネクタハウジングを傷つけたりするといった事故が防止される。
【００３８】
また、請求項３記載の発明によれば、係止解除ピンが位置決め部材の外壁面に接して位置決めされるから、位置決め部材すなわち端子挿入孔を基準とした係止解除ピンの位置精度が高まる。
【００３９】
また、請求項４記載の発明によれば、位置決め部材の突部を端子挿入孔に係合させると同時に、コネクタの抜き治具挿入孔に対する係止解除ピンの位置決めが行われるから、そのまま係止解除ピンを前進させることで、係止解除ピンが狭い抜き治具挿入孔に確実に挿入され、係止ランスを撓ませて端子の係止を確実に解除する。
【００４０】
また、請求項５記載の発明によれば、突条がガイド孔に係合することで、位置決め部材を基準として解除プレートすなわち係止解除ピンの位置決めが正確に行われるから、端子の係止解除が確実に行われる。
【００４１】
また、請求項６記載の発明によれば、突条が係止解除ピンの基部に接して位置するから、突条すなわち位置決め部材と係止解除ピンとの位置精度が高まり、端子の係止解除が一層正確に行われる。
【００４２】
また、請求項７記載の発明によれば、位置決め部材が弾性体に付勢されて突出した際に、突起がガイド孔の前端に当接して、位置決め部材の前進端位置が正確に規定され、係止解除ピンの先端と突部との位置関係が正確に規定される。
【図面の簡単な説明】
【図１】本発明に係る端子抜き治具の一実施形態を示す全体斜視図である。
【図２】同じく端子抜き治具の要部を示す分解斜視図である。
【図３】雄型のコネクタハウジングの一実施形態を示す斜視図である。
【図４】雄型のコネクタに端子抜き治具を適用した状態を示し、コネクタを縦断面図で示し、端子抜き治具を側面図で示したものである。
【図５】図４のＡ部において端子抜き治具の先端の突部を端子挿入孔に係合させた状態を示す縦断面図である。
【図６】同じく端子抜き治具の係止解除ピンの先端をコネクタハウジングの係止ランスに当接させた状態を示す縦断面図である。
【図７】同じく係止解除ピンで係止ランスを撓ませて端子の係止を解除した状態を示す縦断面図である。
【図８】従来の端子抜き治具の一例を示す縦断面図である。
【図９】（ａ）  〜（ｃ）  は従来の端子抜き治具で端子の係止を解除する状態を順に示す縦断面図である。
【符号の説明】
１          端子抜き治具
３          アウタケース
４          位置決め部材
５          コイルばね（弾性体）
６          係止解除ピン
７          解除プレート
１０        突部
１１        ガイド溝
１６        端子挿入孔
１７        抜き治具挿入孔
１８        上端面（外壁面）
１９        突条
２０        突起
２４，２５  ガイド孔
２４ｂ      内側面
２６        基部
３５        係止ランス
４１        コネクタ
【図１】
0003589398.tif 000002
【図２】
0003589398.tif 000003
【図３】
0003589398.tif 000004
【図４】
0003589398.tif 000005
【図５】
0003589398.tif 000006
【図６】
0003589398.tif 000007
【図７】
0003589398.tif 000008
【図８】
0003589398.tif 000009
【図９】
0003589398.tif 000010